【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
３つのレーザ源であって、前記レーザ源は、異なる色を有する光ビームを生成する、前記レーザ源と、
前記光ビームをラスタパターンにより走査する手段と、
を備える、グラフィックレーザポインタ。
【請求項２】
前記グラフィックレーザポインタは、水平走査偏向限界および垂直走査偏向限界が可変であるように適合される、請求項１に記載のグラフィックレーザポインタ。
【請求項３】
前記グラフィックレーザポインタは、水平走査偏向限界または垂直走査偏向限界が可変であるように適合される、請求項１に記載のグラフィックレーザポインタ。
【請求項４】
前記走査する手段は、サーボ誘導システム機構を有する走査ミラーまたは光ファイバーケーブルシステムのうちの少なくとも１つである、請求項１に記載のグラフィックレーザポインタ。
【請求項５】
前記走査する手段は、前記ラスタパターンの第１のエッジから終了エッジまでパターンに従って前記光ビームを走査して画像を形成するように適合され、前記パターンは、前記光ビームが第２の軸に沿って漸次走査しながら振幅が第１の軸に沿って振動するような走査線の波動パターンであり、前記第２の軸は、前記第１の軸に垂直であり、
前記波動パターンは、垂直走査プロファイルと水平走査プロファイルとの合成であり、前記垂直走査プロファイルは、前記振幅に対応する周期的ウォビュレーションを有する、請求項１に記載のグラフィックレーザポインタ。
【請求項６】
前記周期的ウォビュレーションは、前記水平走査プロファイルの第２高調波を含む、請求項５に記載のグラフィックレーザポインタ。
【請求項７】
前記走査する手段は、前記ラスタパターンの第１のエッジから終了エッジまでパターンに従って前記光ビームを走査して画像を形成するように適合され、前記パターンは、前記光ビームが第２の軸に沿って漸次走査しながら振幅が第１の軸に沿って振動するような走査線の波動パターンであり、前記第２の軸は、前記第１の軸に垂直であり、
前記波動パターンは、垂直走査プロファイルと水平走査プロファイルとの合成であり、可変走査速度値は、前記第２の軸において用いられる、請求項１に記載のグラフィックレーザポインタ。
【請求項８】
前記光ビームの走査線の第１のパターンと、
前記光ビームの走査線の第２のパターンであって、前記ラスタパターンは、前記第１および第２のパターンを含む、前記第２のパターンと、
を備え、
前記第１のパターンは、前記光ビームが第１の軸に垂直である第２の軸に沿って漸次走査しながら振幅が前記第１の軸に沿って振動するような走査線の波動パターンであり、前記第１のパターンは、前記第１の軸に沿った第１の方向に方向付けられた前記ラスタパターンの第１のエッジからの第１の振動を有し、前記走査する手段は、前記ラスタパターンの前記第１のエッジから第２のエッジまで前記第１のパターンに従って前記光ビームを走査するように適合され、
前記第２のパターンは、前記光ビームが前記第２の軸に沿って漸次走査しながら振幅が前記第１の軸に沿って振動するような走査線の波動パターンであり、前記第２のパターンは、前記第１の軸に沿った第２の方向に方向付けられた前記ラスタパターンの前記第２のエッジからの第２の振動を有し、前記走査する手段は、前記ラスタパターンの前記第２のエッジから前記第１のエッジまで前記第２のパターンに従って前記光ビームを走査するように適合された、請求項１に記載のグラフィックレーザポインタ。
【請求項９】
前記走査する手段は、画像データを処理して前記第１の軸に沿って配置されたｍ本の走査線を有する映像のｎ個の完全フレームにするように構成され、
前記走査する手段は、第１のサブフレームと第２のサブフレームを備える各完全フレームを有するように構成され、
前記走査する手段は、ｍ本の走査線の奇数行を前記第１のサブフレームに割り当てるように構成され、前記第１のパターンが前記第１のサブフレームに対応し、
前記走査する手段は、ｍ本の走査線の偶数行を前記第２のサブフレームに割り当てるように構成され、前記第２のパターンが前記第２のサブフレームに対応する、請求項８に記載のグラフィックレーザポインタ。
【請求項１０】
可変走査速度値は前記第２の軸において用いられる、請求項９に記載のグラフィックレーザポインタ。
【請求項１１】
グラフィック画像ポインタを使用する方法であって、
第１の画像を第１の表示装置からの画面に表示するステップと、
第２の画像が、前記グラフィック画像ポインタに由来し、複数の色を有するように、前記第２の画像を前記画面に表示するステップと、
を備える、前記グラフィック画像ポインタを使用する方法。
【請求項１２】
走査する前記第２の画像の画像データを受信するステップと、
前記画像データに応答して前記グラフィック画像ポインタにおいて光ビームを生成するステップと、
前記光ビームを方向付けるために水平走査プロファイルを形成するステップであって、前記水平走査プロファイルは、第１の軸にほぼ平行で、前記第１の軸に垂直な第２の軸にほぼ垂直である振動振幅を有する周期を含む、前記水平走査プロファイルを形成するステップと、
前記周期に応答して周期的ウォビュレーションを形成するステップと、
前記周期的ウォビュレーションを含む垂直走査プロファイルを形成するステップと、
前記垂直走査プロファイルと前記水平走査プロファイルとの合成である波動パターンに従って前記光ビームを走査して前記第２の画像を形成し、その結果、前記光ビームが前記第１の軸に平行に振動する間、第１のエッジから終了エッジまで前記第２の軸に対して平行に駆動されるようにするステップと、
を備える、請求項１１に記載の方法。
【請求項１３】
可変走査速度値は前記第２の軸において用いられる、請求項１２に記載の方法。
【請求項１４】
前記第２の軸に沿った動きのベースライン垂直走査プロファイルを時間関数として生成するステップと、
前記第２の軸に沿った動き対時間の周期的ウォビュレーションプロファイルを提供または選択するステップであって、前記周期的ウォビュレーションプロファイルは、１つのウォビュレーション周期が波動パターンの単一波の半分に対応し、もう１つのウォビュレーション周期が前記単一波の残りの半分に対応する、個別のウォビュレーション周期を備える、前記選択するステップと、
前記周期的ウォビュレーションプロファイルを前記ベースライン垂直走査プロファイルに付加して前記垂直走査プロファイルを取得するステップと、
を備え、前記周期的ウォビュレーションプロファイルは、前記水平走査プロファイルの第２高調波を含む、請求項１２に記載の方法。
【請求項１５】
走査する前記第２の画像の画像データを受信するステップと、
前記画像データに応答して前記グラフィック画像ポインタにおいて光ビームを生成するステップと、
前記光ビームを方向付けるために水平走査プロファイルを形成するステップであって、前記水平走査プロファイルは、第１の軸にほぼ平行で、前記第１の軸に垂直な第２の軸にほぼ垂直である振動振幅を有する周期を含む、前記水平走査プロファイルを形成するステップと、
前記垂直走査プロファイルと前記水平走査プロファイルとの合成である波動パターンに従って前記光ビームを走査して前記第２の画像を形成し、その結果、前記光ビームが前記第１の軸に平行に振動する間、第１のエッジから終了エッジまで前記第２の軸に対して平行に駆動されるようにするステップと、
を備え、可変走査速度値は前記第２の軸において用いられる、請求項１４に記載の方法。
【請求項１６】
走査する画像の画像データを受信するステップと、
前記画像データに応答して光ビームを生成するステップと、
第１のエッジから終了エッジまで第１のパターンに従って前記光ビームを走査して少なくとも１つの画像を形成するステップであって、前記第１のパターンは、前記光ビームが第２の軸に沿って漸次走査しながら振幅が第１の軸に沿って振動するような走査線の波動パターンであり、前記第２の軸は、前記第１の軸にほぼ垂直であり、前記第１のパターンは、前記第１の軸に沿った第１の方向に方向付けられた、前記第１のエッジからの第１の振動を有する、前記少なくとも１つの画像を形成するステップと、
第２のエッジから第２の終了エッジまで第２のパターンに従って前記光ビームを走査して少なくとも別の画像を形成するステップであって、前記第２のパターンは、前記光ビームが前記第２の軸に沿って漸次走査しながら振幅が前記第１の軸に沿って振動するような走査線の波動パターンであり、前記第２のパターンは、前記第１の方向と逆である前記第１の軸に沿った第２の方向に方向付けられた、前記第２のエッジからの第２の振動を有する、前記少なくとも別の画像を形成するステップと、
を備える、請求項１１に記載の方法。
【請求項１７】
前記光ビームの前記第１および第２のパターンの複数を交互に走査するステップと、
映像のｎ個の完全フレームにするように前記画像データを構成するまたは処理するステップであって、ｎは整数であり、前記第１のパターンは、前記ｎ個の完全フレームの奇数フレームに対応し、前記第２のパターンは、前記ｎ個の完全フレームの偶数フレームに対応する、前記構成するまたは処理するステップと、
を備える、請求項１６に記載の方法。
【請求項１８】
グラフィックレーザポインタは、水平走査偏向限界および垂直走査偏向限界が変化するように適合される、請求項１１に記載の方法。
【請求項１９】
グラフィックレーザポインタは、水平走査偏向限界または垂直走査偏向限界が変化するように適合される、請求項１１に記載の方法。
【請求項２０】
前記第１の表示装置と前記グラフィック画像ポインタは、複数の発色源を有する単一光源とラスタ走査手段とを有する同じ装置である、請求項１１に記載の方法。
【手続補正２】
【補正対象書類名】明細書
【補正対象項目名】００１５
【補正方法】変更
【補正の内容】
【００１５】
本発明の付加的な態様は、走査する画像の画像データを受信することと、画像データに応答して光ビームを生成することと、第１のエッジから終了エッジまでの第１のパターンに従って光ビームを走査して少なくとも１つの画像を形成することであって、第１のパターンは、ビームが第２の軸に沿って漸進的に走査する時に振幅が第１の軸に沿って振動するような走査線の波動パターンであり、第２の軸は、第１の軸にほぼ垂直であり、第１のパターンは、第１の軸に沿った第１の方向に方向付けられた、第１のエッジからの第１の振動を有することと、第２のエッジから第２の終了エッジまでの第２のパターンに従って光ビームを走査して少なくとも別の画像を形成し、第２のパターンは、ビームが第２の軸に沿って漸進的に走査する時に振幅が第１の軸に沿って振動するような走査線の波動パターンであることを含むことができる。第２のパターンは、第１の方向と逆である第１の軸に沿った第２の方向に方向付けられた、第２のエッジからの第１の振動を有することができる。この態様は、光ビームの第１と第２のパターンの複数を交互に走査することを含むことができ、そして画像データを映像のｎ個の完全フレームにするように構成するまたは処理することを含むことができる。ここでのｎは、整数であり、第１のパターンは、ｎ個の完全フレームの奇数フレームに対応し、第２のパターンは、ｎ個の完全フレームの偶数フレームに対応する。これらと他の実施形態において、可変走査速度値を第２の軸に用いることができる。
【手続補正３】
【補正対象書類名】明細書
【補正対象項目名】００６３
【補正方法】変更
【補正の内容】
【００６３】
マウスなどのインタフェースをレーザポインティングに使用することができるいくつかの実施形態において、第１の画像および第２の画像（即ち、レーザポインタ画像）は、同じソースによる同じ偏向手段を用いて作成されることができる。このような実施形態において、図示されたラスタ走査パターンは、実際には、一般に固定された形状および位置を有する画面または壁上の画像となる、第１の画像に対するラスタ走査パターンとなる。第２の画像は、第１の画像の外周内でのより小さな画像となる。ここで、第２の画像は、第１の画像の垂直帰線１９中に生成される。例えば、ユーザが、図１Ａの（Ｙ＝０に近い）Ｘ軸近くの垂直帰線１９中に、グラフィックレーザ画像（第２の画像）を画面の中央近くに示したい場合、適切な水平偏向およびソース発光が、ソースが垂直に帰線される時に第２の画像をラスタ走査するために用いられ得る。
［付記１］
３つのレーザ源であって、前記レーザ源は、異なる色を有する光ビームを生成する、レーザ源と、
前記ビームをラスタパターンにより走査する手段と、
を備える、グラフィックレーザポインタ。
［付記２］
前記グラフィックレーザポインタは、水平走査偏向限界および垂直走査偏向限界が可変であるように適合される、付記１に記載のグラフィックレーザポインタ。
［付記３］
前記グラフィックレーザポインタは、水平走査偏向限界または垂直走査偏向限界が可変であるように適合される、付記１に記載のグラフィックレーザポインタ。
［付記４］
前記走査する手段は、サーボ誘導システム機構を有する走査ミラーまたは光ファイバーケーブルシステムのうちの少なくとも１つである、付記１に記載のグラフィックレーザポインタ。
［付記５］
前記走査する手段は、前記ラスタパターンの第１のエッジから終了エッジまでパターンに従って前記光ビームを走査して画像を形成するように適合され、前記パターンは、前記ビームが第２の軸に沿って漸次走査しながら振幅が第１の軸に沿って振動するような走査線の波動パターンであり、前記第２の軸は、前記第１の軸に垂直であり、
前記波動パターンは、垂直走査プロファイルと水平走査プロファイルとの合成であり、前記垂直走査プロファイルは、前記振幅に対応する周期的ウォビュレーションを有する、付記１に記載のグラフィックレーザポインタ。
［付記６］
前記周期的ウォビュレーションは、前記水平走査プロファイルの第２の高調波を含む、付記５に記載のグラフィックレーザポインタ。
［付記７］
前記走査する手段は、前記ラスタパターンの第１のエッジから終了エッジまでパターンに従って前記光ビームを走査して画像を形成するように適合され、前記パターンは、前記ビームが第２の軸に沿って漸次走査しながら振幅が第１の軸に沿って振動するような走査線の波動パターンであり、前記第２の軸は、前記第１の軸に垂直であり、
前記波動パターンは、垂直走査プロファイルと水平走査プロファイルとの合成であり、可変走査速度値は、前記第２の軸において用いられる、付記１に記載のグラフィックレーザポインタ。
［付記８］
前記光ビームの走査線の第１のパターンと、
前記光ビームの走査線の第２のパターンであって、前記ラスタパターンは、前記第１および第２のパターンを備え、
前記第１のパターンは、前記ビームが前記第１の軸に垂直である第２の軸に沿って漸次走査しながら振幅が第１の軸に沿って振動するような走査線の波動パターンであり、前記第１のパターンは、前記第１の軸に沿った第１の方向に方向付けられた前記ラスタパターンの第１のエッジからの第１の振動を有し、前記走査する手段は、前記ラスタパターンの前記第１のエッジから第２のエッジまで前記第１のパターンに従って前記光ビームを走査するように適合され、
前記第２のパターンは、前記ビームが前記第２の軸に沿って漸次走査しながら振幅が前記第１の軸に沿って振動するような走査線の波動パターンであり、前記第２のパターンは、前記第１の軸に沿った第２の方向に方向付けられた前記ラスタパターンの前記第２のエッジからの第１の振動を有し、前記走査する手段は、前記ラスタパターンの前記第２のエッジから前記第１のエッジまで前記第２のパターンに従って前記光ビームを走査するように適合された、付記１に記載のグラフィックレーザポインタ。
［付記９］
前記走査する手段は、画像データを前記第１の軸に沿って配置されたｍ本の走査線を有する映像のｎ個の完全フレームにする処理を行うように構成され、
前記走査する手段は、第１のサブフレームと第２のサブフレームを備える各完全フレームを有するように構成され、
前記走査する手段は、ｍ本の走査線の奇数行を前記第１のサブフレームに割り当てるように構成され、前記第１のパターンが前記第１のサブフレームに対応し、
前記走査する手段は、ｍ本の走査線の偶数行を前記第２のサブフレームに割り当てるように構成され、前記第２のパターンが前記第２のサブフレームに対応する、付記１に記載のグラフィックレーザポインタ。
［付記１０］
可変走査速度値は前記第２の軸において用いられる、付記９に記載のグラフィックレーザポインタ。
［付記１１］
グラフィック画像ポインタを使用する方法であって、
第１の画像を第１の表示装置からの画面に表示するステップと、
前記第２の画像が、前記グラフィック画像ポインタに由来し、複数の色を有するように、第２の画像を前記画面に表示するステップと、
を備える、前記グラフィック画像ポインタを使用する方法。
［付記１２］
走査する前記第２の画像の画像データを受信するステップと、
前記画像データに応答して前記グラフィック画像ポインタの光ビームを生成するステップと、
前記光ビームを方向付けるために水平走査プロファイルを形成するステップであって、前記水平走査プロファイルは、第１の軸にほぼ平行で第２の軸にほぼ垂直である振動振幅を有する周期を有する、ステップと、
前記周期に応答して周期的ウォビュレーションを形成するステップと、
前記周期的ウォビュレーションを含む垂直走査プロファイルを形成するステップと、
前記垂直走査プロファイルと前記水平走査プロファイルとの合成である波動パターンに従って前記光ビームを走査して前記画像を形成し、前記光ビームが前記第１の軸に水平平行に振動する間、第１のエッジから終了エッジまで前記第２の軸に対して垂直平行に駆動されるようにするステップと、
を備える、付記１１に記載の方法。
［付記１３］
可変走査速度値は前記第２の軸において用いられる、付記１２に記載の方法。
［付記１４］
前記第２の軸に沿った動きのベースライン垂直走査プロファイルを時間関数として生成するステップと、
前記第２の軸対時間に沿った動きの周期的ウォビュレーションプロファイルを提供または選択するステップであって、前記周期的ウォビュレーションプロファイルは、１つのウォビュレーション周期が波動パターンの単一波の半分に対応し、もう１つのウォビュレーション周期が前記単一波の残りの半分に対応する、個々のウォビュレーション周期を備える、ステップと、
前記周期的ウォビュレーションプロファイルを前記ベースライン垂直走査プロファイルに付加して前記垂直走査プロファイルを取得するステップであって、前記周期的ウォビュレーションプロファイルは、前記水平走査プロファイルの第２の高調波を含む、ステップと、
を備える、付記１２に記載の方法。
［付記１５］
走査する前記第２の画像の画像データを受信するステップと、
前記画像データに応答して前記グラフィック画像ポインタの光ビームを生成するステップと、
前記光ビームを方向付けるために水平走査プロファイルを形成するステップであって、前記水平走査プロファイルは、第１の軸にほぼ平行で第２の軸にほぼ垂直である振動振幅を有する周期を備える、ステップと、
前記垂直走査プロファイルと前記水平走査プロファイルとの合成である波動パターンに従って前記光ビームを走査して前記画像を形成し、前記光ビームが前記第１の軸に水平平行に振動する間、第１のエッジから終了エッジまで前記第２の軸に対して垂直平行に駆動されるようにするステップであって、
可変走査速度値は前記第２の軸において用いられる、ステップと、
を備える、付記１１に記載の方法。
［付記１６］
走査する画像の画像データを受信するステップと、
前記画像データに応答して光ビームを生成するステップと、
第１のエッジから終了エッジまで第１のパターンに従って前記光ビームを走査して少なくとも１つの画像を形成するステップであって、前記第１のパターンは、前記ビームが第２の軸に沿って漸次走査しながら振幅が第１の軸に沿って振動するような走査線の波動パターンであり、前記第２の軸は、前記第１の軸にほぼ垂直であり、前記第１のパターンは、前記第１の軸に沿った第１の方向に方向付けられた、前記第１のエッジからの第１の振動を有する、ステップと、
第２のエッジから第２の終了エッジまで第２のパターンに従って前記光ビームを走査して少なくとも別の画像を形成するステップであって、前記第２のパターンは、前記ビームが前記第２の軸に沿って漸次走査しながら振幅が前記第１の軸に沿って振動するような走査線の波動パターンであり、前記第２のパターンは、前記第１の方向と逆である前記第１の軸に沿った第２の方向に方向付けられた、前記第２のエッジからの第１の振動を有する、ステップと、
を備える、付記１１に記載の方法。
［付記１７］
前記光ビームの前記第１と第２のパターンの複数を交互に走査するステップと、
前記画像データを映像のｎ個の完全フレームにするように構成するまたは処理するステップであって、ｎは、整数であり、前記第１のパターンは、ｎ個の完全フレームの奇数フレームに対応し、前記第２のパターンは、ｎ個の完全フレームの偶数フレームに対応する、ステップと、
を備える、付記１９に記載の方法。
［付記１８］
グラフィックレーザポインタは、水平走査偏向限界および垂直走査偏向限界が変化するように適合される、付記１１に記載の方法。
［付記１９］
グラフィックレーザポインタは、水平走査偏向限界または垂直走査偏向限界が変化するように適合される、付記１１に記載の方法。
［付記２０］
前記第１の表示装置と前記グラフィック画像ポインタは、同一源の発色源とラスタ走査手段とを有する同じ装置である、付記１１に記載の方法。